(57)【要約】【課題】誤刺を防止する留置針であって、一度本体内に収納した注射針が再度本体から外部に突出することのない留置針を提供する。【解決手段】本発明は、筒状の本体４から注射針２が突出した状態で穿刺可能であり、使用後は注射針２の針先が本体内に収納される留置針１に関する。留置針１を廃棄するときは、係合部材の係合を外すことにより、コイルスプリング８の付勢力により注射針２及び針基３が本体４の後方に移動される。針基３とコイルスプリング８の当接面は、本体４の軸方向と垂直な面に対して傾斜しており、針基３にはコイルスプリング８の付勢力が斜め方向から付与される。これにより、コイルスプリング８が弓状に折れ曲がった状態となる。従って、仮にチューブ７によって針基３が後方から押された場合であっても、注射針２及び針基３は斜め方向に押されるので、本体４の前方開口４ｂから外部に突出することがない。【選択図】図３
2007330318.tif 000002
【特許請求の範囲】
【請求項１】
筒状の本体から注射針が突出した状態で穿刺可能であり、使用後は前記注射針の針先が本体内に収納される留置針であって、
前記注射針の後方部分を固定する筒状の針基と、前記注射針の外周側に配置されると共に前記本体内に収納され前記針基を前記本体の後方に付勢するコイルスプリングと、前記針基に接続されて前記本体の後方から導出されるチューブと、前記針基に係合し前記本体の前方位置に前記針基を保持すると共に前記本体から遠ざかる方向に移動された際に前記針基との係合が解除される係合手段とを備え、
前記本体は、前端部に前記コイルスプリングの前端部を係止すると共に前記注射針を挿通可能な前方開口が設けられた前壁部と、前記係合手段の係合が解除された際に前記針基の後端部に当接すると共に前記チューブを挿通可能な後方開口が設けられた後壁部とを有し、
前記針基は前記コイルスプリングの後端部を受ける面に本体の軸方向と垂直な面に対して前記コイルスプリングの後端部を所定方向に傾斜させる後方傾斜部を備え、前記本体内で傾動可能に形成されていることを特徴とする留置針。
【請求項２】
前記前壁部は、前記本体の軸方向と垂直な面に対して前記針基の後方傾斜部と対称の傾斜を有する前方傾斜部を備えていることを特徴とする請求項１に記載の留置針。
【請求項３】
前記本体は、前記係合手段の係合が解除された際に、前記コイルスプリングの後端部の傾斜角度を増加させる方向に傾斜させる傾斜案内部を備えていることを特徴とする請求項１又は２に記載の留置針。
【請求項４】
筒状の本体から注射針が突出した状態で穿刺可能であり、使用後は前記注射針の針先が本体内に収納される留置針であって、
前記注射針の後方部分を固定する筒状の針基と、前記注射針の外周側に配置されると共に前記本体内に収納され前記針基を前記本体の後方に付勢するコイルスプリングと、前記針基に接続されて前記本体の後方から導出されるチューブと、前記針基に係合し前記本体の前方位置に前記針基を保持すると共に前記本体から遠ざかる方向に移動された際に前記針基との係合が解除される係合手段とを備え、
前記本体は、前端部に前記コイルスプリングの前端部を係止すると共に前記注射針を挿通可能な前方開口が設けられた前壁部と、前記係合手段の係合が解除された際に前記針基の後端部に当接すると共に前記チューブを挿通可能な後方開口が設けられた後壁部とを有し、
前記前壁部は前記コイルスプリングの前端部を受ける面に本体の軸方向と垂直な面に対して前記コイルスプリングの前端部を所定方向に傾斜させる前方傾斜部を備え、前記針基が前記本体内で傾動可能に形成されていることを特徴とする留置針。
【請求項５】
前記本体は、前記係合手段の係合が解除された際に、前記本体の軸方向と垂直な面に対して前記コイルスプリングの後端部を前記前方傾斜部と対称に傾斜する方向に前記針基を傾斜させる第２の傾斜案内部を備えていることを特徴とする請求項４に記載の留置針。
【発明の詳細な説明】
【技術分野】
【０００１】
本発明は、例えば点滴等に用いられる留置針に関する。
【背景技術】
【０００２】
医療用針を取り扱う場合、使用後に誤刺が発生しないように、注射針の針先を何らかの手段で保護することが行われている。例えば、下記特許文献１に開示された医療用針は採血等に用いられる針であり、注射針と、この注射針の後方部分を保持する針基と、使用後に注射針及び針基を内部に収納可能なケースとを備えている。そして、当該医療用針では、ケース内に針基を傾斜させるための溝を有し、針基には前記溝に案内される突起を有し、針基を収納する際に前記溝で前記突起を案内している。当該構成により、一度ケース内に収納された針基及び注射針が再度ケースから突出しないようにすることが可能であるとしている。
【０００３】
しかしながら、当該医療用針は、針基の後方部分にケースから突出するチューブ等が接続されていない医療用針に関するものである。仮に当該構成をケースから突出するチューブが接続された留置針に適用した場合、何らかの原因によりチューブがケースに対して前方に押し込まれると、針基の突起が前記溝に案内されて前方に押されることとなり、注射針の針先がケースの先端から突出するおそれがある。
【特許文献１】特表２００４−５３８１０３号公報（フロントページ他）
【発明の開示】
【発明が解決しようとする課題】
【０００４】
本発明は、留置針の改良を目的とし、さらに詳しくは前記不都合を解消するために、一度本体内に収納した注射針が針基に接続されたチューブ等によって前方に押し込まれた場合であっても針先が本体から外部に突出することのない留置針を提供することを目的とする。
【課題を解決するための手段】
【０００５】
前記目的を達成するために、本発明の第１の態様の留置針は、筒状の本体から注射針が突出した状態で穿刺可能であり、使用後は前記注射針の針先が本体内に収納される留置針であって、前記注射針の後方部分を固定する筒状の針基と、前記注射針の外周側に配置されると共に前記本体内に収納され前記針基を前記本体の後方に付勢するコイルスプリングと、前記針基に接続されて前記本体の後方から導出されるチューブと、前記針基に係合し前記本体の前方位置に前記針基を保持すると共に前記本体から遠ざかる方向に移動された際に前記針基との係合が解除される係合手段とを備え、前記本体は、前端部に前記コイルスプリングの前端部を係止すると共に前記注射針を挿通可能な前方開口が設けられた前壁部と、前記係合手段の係合が解除された際に前記針基の後端部に当接すると共に前記チューブを挿通可能な後方開口が設けられた後壁部とを有し、前記針基は前記コイルスプリングの後端部を受ける面に本体の軸方向と垂直な面に対して前記コイルスプリングの後端部を所定方向に傾斜させる後方傾斜部を備え、前記本体内で傾動可能に形成されていることを特徴とする。
【０００６】
本発明の第１の態様の留置針によれば、前記係合手段と前記針基との係合を解除して前記注射針及び前記針基を前記本体内に収納したときは、前記針基に設けられた後方傾斜部により前記コイルスプリングの後方部分が傾斜した状態となるため、前記コイルスプリングは前記本体内で弓形に湾曲した状態となる。従って、前記針基には前記コイルスプリングの湾曲によってその付勢力が斜め方向から加えられる。このような状態から、前記チューブが前記本体内に押し込まれたときは、前記チューブは前記針基の前記コイルスプリングによる斜め方向の付勢力に抗して押し込まれるため、前記針基は斜め方向に押し込まれることになる。前記針基は前記本体内で傾動可能であるため、前記針基の前方に固定されている注射針の針先は前記前方開口からずれた方向に押され、前記前壁部に当接するので、前記前方開口からは突出しない。また、前記コイルスプリングはコイル状に巻かれた線材であるので、前記コイルスプリングが弓状になった状態で前方に押されると、前記注射針の針先はその線材の間に差し込まれるため、針先が前記前方開口からの突出が防止される。このように、本発明の留置針は、前記針基に前記後方傾斜部を設けるという簡易な構成により前記本体内に収納された注射針の外部への突出を防止することができる。
【０００７】
また、本発明の第１の態様の留置針においては、前記前壁部は、前記本体の軸方向と垂直な面に対して前記針基の後方傾斜部と対称の傾斜を有する前方傾斜部を備えていることが好ましい。前記前壁部に前記前方傾斜部を設けることにより、前記注射針及び前記針基が前記本体内に収納された際には、前記コイルスプリングの湾曲がさらに強調される。従って、前記針基を斜めに付勢する力が強化されるため、前記注射針の針先の前記前方開口からの突出をさらに抑制することができる。
【０００８】
また、本発明の第１の態様の留置針においては、前記本体は、前記係合手段の係合が解除された際に、前記コイルスプリングの後端部の傾斜角度を増加させる方向に前記針基を傾斜させる傾斜案内部を備えていることが好ましい。このように、前記針基が前記本体の後方位置に移動された際に、前記針基を傾斜させたときは、前記コイルスプリングの湾曲がさらに強くなる。このため、前記注射針の針先の前記前方開口からの突出をさらに抑制することができる。また、この場合、前記コイルスプリングの湾曲を強化できればよいので、上記特許文献１のように前記針基を大きく傾斜させる必要がない。従って、前記本体に前記傾斜案内部を設けた場合であっても、前記本体の周方向への拡大を最小限に抑えることができる。
【０００９】
また、前記目的を達成するために、本発明の第２の態様の留置針は、筒状の本体から注射針が突出した状態で穿刺可能であり、使用後は前記注射針の針先が本体内に収納される留置針であって、前記注射針の後方部分を固定する筒状の針基と、前記注射針の外周側に配置されると共に前記本体内に収納され前記針基を前記本体の後方に付勢するコイルスプリングと、前記針基に接続されて前記本体の後方から導出されるチューブと、前記針基に係合し前記本体の前方位置に前記針基を保持すると共に前記本体から遠ざかる方向に移動された際に前記針基との係合が解除される係合手段とを備え、前記本体は、前端部に前記コイルスプリングの前端部を係止すると共に前記注射針を挿通可能な前方開口が設けられた前壁部と、前記係合手段の係合が解除された際に前記針基の後端部に当接すると共に前記チューブを挿通可能な後方開口が設けられた後壁部とを有し、前記前壁部は前記コイルスプリングの前端部を受ける面に本体の軸方向と垂直な面に対して前記コイルスプリングの前端部を所定方向に傾斜させる前方傾斜部を備え、前記針基が前記本体内で傾動可能に形成されていることを特徴とする。
【００１０】
前記第１の態様の留置針が、前記針基に前記後方傾斜部を設けることを特徴としているのに対し、この第２の態様の留置針においては、前記前壁部に前記コイルスプリングを傾斜させる前方傾斜部を備えていることを特徴としている。当該構成によっても、上記第１の態様と同様に、前記注射針及び前記針基が前記本体内に収納された際に前記コイルスプリングを湾曲させることができる。従って、前記注射針の針先が前記前方開口から突出することを防止することができる。
【００１１】
また、本発明の第２の態様の留置針においては、前記本体は、前記係合手段の係合が解除された際に、前記本体の軸方向と垂直な面に対して前記コイルスプリングの後端部を前記前方傾斜部と対称に傾斜する方向に前記針基を傾斜させる第２の傾斜案内部を備えていることが好ましい。このような第２の傾斜案内部をさらに備えることにより、前記注射針及び前記針基が前記本体内に収納された際に前記コイルスプリングをさらに湾曲させることができるため、前記注射針の針先の前記前方開口からの突出をさらに抑制することができる。
【発明を実施するための最良の形態】
【００１２】
次に、本発明の留置針の実施形態の一例について、図１乃至図７を参照して説明する。図１は第１の実施形態の留置針を示す説明的斜視図、図２は図１のＩＩ−ＩＩ線の一部断面を示す説明的断面図、図３は針及び針基が本体内に収納された状態を平面から見た断面を示す説明的断面図、図４は注射針及び針基が本体内に収納された状態を示す説明的断面図、図５は図４の留置針を平面から見た状態を示す説明的断面図、図６は第２の実施形態の留置針を平面から見た状態を示す説明的断面図、図７は第２の実施形態の留置針において針及び針基が本体内に収納された状態を平面から見た断面を示す説明的断面図である。
【００１３】
まず、第１の実施形態の留置針１について図１乃至図５を参照して説明する。なお、本願では、注射針の針先が示す方向を前方、チューブが接続されている方向を後方として説明を行う。第１の実施形態の留置針１は、図１に示すように、直接患者に穿刺して留置する留置針であり、注射針２と、注射針２の後方部分に固定された筒状の針基３と、針基３を保持している筒状の本体４と、本体４の上方に配置されたレバー５ａを備えた係合部材５と、本体４から横方向に突出する翼部６と、本体４の後方から導出されるチューブ７とを備えている。また、本体４の内部には、図２に示すように、コイルスプリング８が内蔵されている。
【００１４】
注射針２は、通常広く用いられているステンレススチール製の中空針であり、その後方部分が針基３と一体成形されて固定されている。
【００１５】
針基３は合成樹脂製であり、図２に示すように、注射針２の後方部分を保持する第１小径部３ａと、第１小径部３ａの後方に位置して第１小径部３ａと共に注射針を保持する第２小径部３ｂと、第２小径部３ｂの後方に位置してチューブ７が接続される大径部３ｃとを備えている。大径部３ｃの先端部には、図３に示すように、注射針２の軸方向に垂直な面に対して傾斜する後方傾斜面３ｄ（後方傾斜部）が形成されている。また、大径部３ｃの外径は、本体４の内径よりも小径となっており、大径部３ｃが本体４内である程度傾斜することが可能な構成となっている。また、第２小径部３ｂの外径は、コイルスプリング８の内径よりも小径となっており、コイルスプリング８が径方向にある程度自由に変形できるようになっている。また、図２及び図３に示すように、針基３が本体４の前方部分に保持されているときは、針基３がコイルスプリング８によって本体４の後方に向けて付勢された状態となっている。
【００１６】
本体４は、図１に示すように、全体として筒状であり、前端部には前壁部４ａが設けられ、この前壁部４ａには針基３の第１小径部３ａが挿通可能な前方開口４ｂが設けられている。また、図２に示すように、その後端部には後壁部４ｃが設けられており、この後壁部４ｃにはチューブ７が挿通可能な後方開口４ｄが設けられている。また、本体４の内部には、図３に示すように、後方部分に内周面に緩い傾斜を有する傾斜案内部４ｅが設けられている。この傾斜案内部４ｅは、図５に示すように、針基３が本体４の後方位置に移動された際に、針基３の後方傾斜面３ｄの傾斜をさらに大きくする方向に傾斜が設けられている。また、本体４は、図２に示すように、針基３が前方位置に保持されている状態で、針基３の第２小径部３ｂと大径部３ｃとを収納し、さらにコイルスプリング８を収納している。また、本体４の長さは、図５に示すように、注射針２及び針基３を内部に収納できる長さとなっている。
【００１７】
係合部材５は、図２に示すように、本体４の外方に突出するレバー５ａと、本体４の内部に突出し針基３の大径部３ｃの後端部を係止する係合爪５ｂとを有している。本実施形態においては、係合部材５は本体４の前壁部４ａを含む一体成形品であり、本体４の一部を構成している。翼部６は、図１に示すように本体４の前方部分から横方向に延びており、本実施形態では本体４と一体に形成されている。
【００１８】
また、コイルスプリング８は、図３に示すように、針基３が本体４の前方位置に係止されているときは、針基３の第２小径部３ｂの外周を囲むように装着されている。また、その前端部は前壁部４ａに当接し、その後端部は針基３の後方傾斜面３ｄに当接している。このように、コイルスプリング８は、その後端部が後方傾斜面３ｄに当接しているため、図３に示すように本体４の内部で弓状に湾曲した状態で収納されている。また、コイルスプリング８は、図４及び図５に示すような針基３が本体４の後方位置に押し込まれた状態においても、その前端部が本体４の前壁部４ａに当接し、その後端部が後方傾斜面３ｄに当接するような長さとなっている。
【００１９】
本実施形態の留置針１は、使用前及び使用時においては、図１乃至図３に示すように、本体４の前方開口４ｂから注射針２及び針基３の第１小径部３ａが突出しており、本体４の後方開口４ｄからチューブ７が導出されている。この状態で患者に穿刺し、翼部６を利用して患者の皮膚に本体４を固定し、点滴等を行う。
【００２０】
本実施形態の留置針１を廃棄するときは、図４に示すように、作業者はレバー５ａを本体４から離す方向に持ち上げる。すると、係合部材５の係合爪５ｂが針基３の後端部から外れるため、針基３はコイルスプリング８の付勢力により本体４の後方に押し込まれる。このとき、コイルスプリング８は針基３に設けられた後方傾斜面３ｄによってその後方部分に傾斜が生じるため、図５に示すように、本体４内で湾曲した状態となる。また、針基３の大径部３ｃが本体４の後端部近傍に設けられた傾斜案内部４ｅに沿って本体４内で傾斜した形で収納される。これにより、コイルスプリング８の本体４内での湾曲がさらに大きくなっている。また、注射針２の針先は本体４内に収納され、針基３の傾斜に応じてコイルスプリング８の内側に押し付けられた状態となっている。
【００２１】
このように、針基３が本体４の後方に押し込まれた状態で、何らかの原因によりチューブ７が本体４の先端方向に押し込まれた場合は、湾曲したコイルスプリング８の付勢力に抗して針基３が押し込まれることになる。また、針基３は傾斜案内部４ｅにより傾斜した状態となっている。従って、針基３がチューブ７により前方に押し込まれた場合は、針基３の前方に設けられている注射針２の針先は、本体４の前方開口４ｂから横方向（図５において上方向）にずれて前壁部４ａに当接する。また、注射針２の針先はコイルスプリング８の内面に押し付けられているため、その状態で前方に移動させると、注射針２の針先がコイルスプリング８の線材の間に進入するため、針先がコイルスプリング８の前端開口、即ち本体４の前方開口４ｂに案内されることがない。これにより、一度本体４内に収納された注射針２が、再度本体４から外部に突出することが防止される。
【００２２】
次に、本実施形態の第２の実施形態について、図６及び図７を参照して説明する。この第２の実施形態の留置針１’は、外見上は図１に示す第１の実施形態の留置針１と同様である。一方、図６に示すように、第２の実施形態の留置針１においては、本体４の前壁部４ａに前方傾斜部４ｆが設けられている。この前方傾斜部４ｆは、前壁部４ａの一部（図６において下方）に、後方に向けて突出する凸部を設けることにより形成されている。第２の実施形態においては、コイルスプリング８の先端部がこの前方傾斜部４ｆに当接しているため、図６において上方に湾曲するように本体４内に収納されている。また、傾斜案内部４ｅ（第２の傾斜案内部）は、コイルスプリング８の後端部が、本体４の軸方向に垂直な面に対して前方傾斜部４ｆによって傾けられるコイルスプリング８の先端部とは対称となるように針基３を傾けるように構成されている。
【００２３】
その他、上記第１の実施形態の留置針１と異なる点は、第２の実施形態の留置針１’では、針基３に後方傾斜面３ｄが設けられていない点である。その他の点は上記第１の実施形態と同様の構成であるので、上記実施形態と同様の構成については図面において同様の符号を付すことにより詳細な説明は省略する。
【００２４】
第２の実施形態の留置針１’は、上述のような構成となっているため、使用前及び使用時においては、図６に示すように、本体４の前方開口４ｂから注射針２及び針基３の第１小径部３ａが突出しており、本体４の後方開口４ｄからチューブ７が導出されている。この状態で患者に穿刺し、翼部６を利用して患者の皮膚に本体４を固定し、点滴等を行う。
【００２５】
第２の実施形態の留置針１’を廃棄するときは、レバー５ａを持ち上げて係合部材５の係合爪５ｂが針基３の後端部から外すと（図４参照）、針基３はコイルスプリング８の付勢力により本体４の後方に押し込まれる。このとき、コイルスプリング８は前壁部４ａに設けられた前方傾斜部４ｆによってその前方部分に傾斜が生じるため、図７に示すように、本体４内で湾曲した状態となる。また、針基３の大径部３ｃが本体４の後端部近傍に設けられた傾斜案内部４ｅに沿って本体４内で傾斜した形で収納される。これにより、コイルスプリング８の本体４内での湾曲がさらに大きくなっている。また、注射針２の針先は本体４内に収納され、針基３の傾斜に応じてコイルスプリング８の内側に押し付けられた状態となっている。
【００２６】
従って、第２の実施形態の留置針１’においても、針基３が本体４の後方に押し込まれた状態で、何らかの原因によりチューブ７が本体４の先端方向に押し込まれた場合は、上記第１の実施形態と同様に、注射針２の本体４の前方開口４ｂから横方向（図７において上方向）にずれて前壁部４ａに当接することになるので、一度本体４内に収納された注射針２が、再度本体４から外部に突出することが防止される。
【００２７】
なお、上記第１及び第２の実施形態においては、それぞれ後方傾斜面３ｄと前方傾斜部４ｆとを設けているが、これに限らず、後方傾斜面３ｄと前方傾斜部４ｆの両方を備えるものであってもよい。また、前記第１の実施形態における後方傾斜部は後方傾斜面３ｄとなっているが、これに限らず、前方傾斜部４ｆのように段差を設けてもよい。逆に、前方傾斜部４ｆは段差により形成されているが、これに限らず、後方傾斜面３ｄのように傾斜面で形成してもよい。また、上記実施形態としては、留置針として翼部６を有するいわゆる翼状針を例にして説明したが、これに限らず、翼部のない留置針に用いてもよい。
【図面の簡単な説明】
【００２８】
【図１】第１の実施形態の留置針を示す説明的斜視図。
【図２】図１のＩＩ−ＩＩ線の一部断面を示す説明的断面図。
【図３】針及び針基が本体内に収納された状態を平面から見た断面を示す説明的断面図。
【図４】注射針及び針基が本体内に収納された状態を示す説明的断面図。
【図５】図４の留置針を平面から見た状態を示す説明的断面図。
【図６】図６は第２の実施形態の留置針を平面から見た状態を示す説明的断面図。
【図７】第２の実施形態の留置針において針及び針基が本体内に収納された状態を平面から見た断面を示す説明的断面図。
【符号の説明】
【００２９】
１…留置針、２…注射針、３…針基、３ｄ…後方傾斜面（後方傾斜部）、４…本体、４ａ…前壁部、４ｂ…前方開口、４ｃ…後壁部、４ｄ…後方開口、５…係合部材（係合手段）、７…チューブ、８…コイルスプリング。
【図１】
2007330318.tif 000003
【図２】
2007330318.tif 000004
【図３】
2007330318.tif 000005
【図４】
2007330318.tif 000006
【図５】
2007330318.tif 000007
【図６】
2007330318.tif 000008
【図７】
2007330318.tif 000009